【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
被検者からの生体信号の取得のためのオーディオヘッドセットであって、前記オーディオヘッドセットは、
第１のイヤーピースと、
第２のイヤーピースと、
前記第１のイヤーピース及び前記第２のイヤーピースを接続するアーチであって、前記アーチはハブ（４）を備え、前記アーチ、前記第１のイヤーピース及び前記第２のイヤーピースは、前記オーディオヘッドセットが前記被検者によって装着されるときに前記イヤーピースが前記被検者の耳の上に配置されるように構成される、アーチと、
前記ハブ（４）から延びる第１の端（１ａ）及び第２の自由端（１ｂ）を有する少なくとも１つの後枝（１）と、
を備え、
前記少なくとも１つの後枝（１）は、生体信号を取得するように構成された、好ましくは１０−１０システムにおける位置Ｐ３又はＰ４で生体信号を取得するように構成された少なくとも１つの電極（５）を備え、
前記少なくとも１つの後枝（１）は、ある曲率半径を有する凹形表面、前記オーディオヘッドセットが前記被検者によって装着されないときの折り畳まれた状態、及び前記オーディオヘッドセットが前記被検者によって装着されるときの展開された状態を備え、前記展開された状態（ＣＲｅ）での曲率半径と前記折り畳まれた状態（ＣＲｃ）での曲率半径との間の比は２．３６よりも高く、
前記少なくとも１つの後枝（１）の少なくとも１つの電極（５）は、少なくとも２つのピン（６）を備え、各ピンは、皮膚接触境界面（８）を備える第１の自由端及び少なくとも１つの撓み要素（７）に接続される第２の端を有し、
前記第１のイヤーピース及び前記第２のイヤーピースは、少なくとも１つのテキスタイル電極（５）をそれぞれ備え、前記イヤーピース及び前記アーチは、前記オーディオヘッドセットが前記被検者によって装着されるときに前記テキスタイル電極（５）が乳様突起の上に位置する皮膚に接するように構成される、オーディオヘッドセット。
【請求項２】
前記オーディオヘッドセットが、前記ハブ（４）から延びる第１の端及び第２の自由端をそれぞれ有する少なくとも２つの後枝（１ｒ、１ｌ）を備え、各後枝は、生体信号を取得するように構成された少なくとも１つの電極（５）を備え、好ましくは前記少なくとも２つの後枝（１ｒ、１ｌ）のうちの第１の後枝は、前記１０−１０システムにおける位置Ｐ３で生体信号を取得するように構成され、前記少なくとも２つの後枝（１ｒ、１ｌ）のうちの第２の後枝は、前記１０−１０システムにおける位置Ｐ４で生体信号を取得するように構成され、前記少なくとも２つの後枝（１ｒ、１ｌ）は、ある曲率半径を有する凹形表面、折り畳まれた状態及び展開された状態をそれぞれ備え、前記展開された状態（ＣＲｅ）での曲率半径と前記折り畳まれた状態（ＣＲｃ）での曲率半径との間の比は２．３６よりも高い、請求項１に記載のオーディオヘッドセット。
【請求項３】
被検者からの生体信号の取得のためのオーディオヘッドセットであって、前記オーディオヘッドセットは、
第１のイヤーピースと、
第２のイヤーピースと、
前記第１のイヤーピース及び前記第２のイヤーピースを接続するアーチであって、前記アーチはハブ（４）を備え、前記アーチ、前記第１のイヤーピース及び前記第２のイヤーピースは、前記オーディオヘッドセットが前記被検者によって装着されるときに前記イヤーピースが前記被検者の耳の上に配置されるように構成される、アーチと、
前記ハブ（４）から延びる第１の端（１ａ）及び第２の自由端（１ｂ）を有する少なくとも１つの前枝（１）と、
を備え、
前記少なくとも１つの前枝（１）は、生体信号を取得するように構成された、好ましくは１０−１０システムにおける位置ＡＦ３又はＡＦ４で生体信号を取得するように構成された少なくとも１つの電極（５）を備え、
前記少なくとも１つの前枝（１）は、ある曲率半径を有する凹形表面、前記オーディオヘッドセットが前記被検者によって装着されないときの折り畳まれた状態、及び前記オーディオヘッドセットが前記被検者によって装着されるときの展開された状態を備え、前記展開された状態（ＣＲｅ）での曲率半径と前記折り畳まれた状態（ＣＲｃ）での曲率半径との間の比は２．１０よりも高く、
前記少なくとも１つの前枝（１）の少なくとも１つの電極（５）は、少なくとも２つのピン（６）を備え、各ピンは、皮膚接触境界面（８）を備える第１の自由端及び少なくとも１つの撓み要素（７）に接続される第２の端を有し、
前記第１のイヤーピース及び前記第２のイヤーピースは、少なくとも１つのテキスタイル電極（５）をそれぞれ備え、前記イヤーピース及び前記アーチは、前記オーディオヘッドセットが前記被検者によって装着されるときに前記テキスタイル電極（５）が乳様突起の上に位置する皮膚に接するように構成される、オーディオヘッドセット。
【請求項４】
前記オーディオヘッドセットが、前記ハブ（４）から延びる第１の端及び第２の自由端をそれぞれ有する少なくとも２つの前枝（１ｒ、１ｌ）を備え、各前枝は、生体信号を取得するように構成された少なくとも１つの電極（５）を備え、好ましくは前記少なくとも２つの前枝（１ｒ、１ｌ）のうちの第１の前枝は、前記１０−１０システムにおける位置ＡＦ３で生体信号を取得するように構成され、前記少なくとも２つの前枝（１ｒ、１ｌ）のうちの第２の前枝は、前記１０−１０システムにおける位置ＡＦ４で生体信号を取得するように構成され、前記少なくとも２つの前枝（１ｒ、１ｌ）は、ある曲率半径を有する凹形表面、折り畳まれた状態及び展開された状態をそれぞれ備え、前記展開された状態（ＣＲｅ）での曲率半径と前記折り畳まれた状態（ＣＲｃ）での曲率半径との間の比は２．１０よりも高い、請求項３に記載のオーディオヘッドセット。
【請求項５】
前記少なくとも１つの後枝又は前記少なくとも１つの前枝が、前記ハブに取り外し可能に接続される、請求項１乃至４のいずれか一項に記載のオーディオヘッドセット。
【請求項６】
前記第１のイヤーピース及び前記第２のイヤーピースが、耳覆い型イヤーピースである、請求項１乃至５のいずれか一項に記載のオーディオヘッドセット。
【請求項７】
前記第１のイヤーピースの少なくとも１つの電極（５）及び前記第２のイヤーピースの少なくとも１つの電極（５）がファブリック電極である、請求項１乃至６のいずれか一項に記載のオーディオヘッドセット。
【請求項８】
前記第１のイヤーピースの少なくとも１つの電極（５）及び前記第２のイヤーピースの少なくとも１つの電極（５）が、銀コートされたテキスタイル、好ましくは銀コートされたポリエステルテキスタイルを備える、請求項１乃至７のいずれか一項に記載のオーディオヘッドセット。
【請求項９】
前記第１のイヤーピースの少なくとも１つの電極（５）及び前記第２のイヤーピースの少なくとも１つの電極（５）が複数の接触面を備える、請求項１乃至８のいずれか一項に記載のオーディオヘッドセット。
【請求項１０】
前記第１のイヤーピースの少なくとも１つの電極（５）及び前記第２のイヤーピースの少なくとも１つの電極（５）が、そこから複数のストリップが延びる共通部分を備え、前記共通部分は前記イヤーピース内に埋め込まれ、前記ストリップの少なくとも一部は前記イヤーピースの外面上に位置する、請求項９に記載のオーディオヘッドセット。
【請求項１１】
前記少なくとも１つの後枝又は前記少なくとも１つの前枝が非磁性金属シートを備える、請求項１乃至１０のいずれか一項に記載のオーディオヘッドセット。
【請求項１２】
前記オーディオヘッドセットの少なくとも３つの電極（５）が、接地電極、基準電極、及び少なくとも１つの取得電極を備える、請求項１乃至１１のいずれか一項に記載のオーディオヘッドセット。
【請求項１３】
前記オーディオヘッドセットの少なくとも３つの電極（５）が、脳波検査法（ＥＥＧ）、及び／又は随意的に筋電図検査法（ＥＭＧ）、電気眼球図記録法（ＥＯＧ）又は心電図検査法（ＥＣＧ）を行うように構成される、請求項１乃至１２のいずれか一項に記載のオーディオヘッドセット。
【請求項１４】
測定された生体信号を分析及び解釈するための生体信号プロセッサにさらに接続されている、請求項１乃至１３のいずれか一項に記載のオーディオヘッドセット。
【請求項１５】
増幅器、Ａ／Ｄ変換器及び信号フィルタを備える、生体信号の取得のための電子回路（１３）をさらに備える、請求項１乃至１４のいずれか一項に記載のオーディオヘッドセット。
【請求項１６】
無線送信器及び／又は受信器をさらに備える、請求項１乃至１５のいずれか一項に記載のオーディオヘッドセット。
【請求項１７】
少なくとも１人の被検者にニューロフィードバックを提供するための方法であって、前記方法は、
請求項１乃至１６のいずれか一項に記載のオーディオヘッドセットを被検者の頭表上に配置するステップと、
前記オーディオヘッドセットを用いて生体信号を取得するステップと、
取得された生体信号を分析するステップと、
測定された生体信号に従って前記被検者にオーディオフィードバックを提供するステップと、
を備える、方法。
【請求項１８】
前記生体信号の分析が、前記生体信号を特異的な精神状態と相関させ、前記被検者の精神状態を改善するための少なくとも１つの提案を備えるフィードバックを前記被検者に提供するステップを備える、請求項１７に記載のニューロフィードバックを提供するための方法。